(57)【要約】  【課題】  ルート検索の目的地を設定する度に検索規則の設定を要せずに、ルート検索の目的地に応じたコンテンツを検索することができる車載用コンテンツ検索装置を提供する。  【解決手段】  車載用コンテンツ再生装置に再生させるコンテンツを検索する車載用コンテンツ検索装置１において、入力装置３を介して設定されたルート検索の目的地に関連付けられたコンテンツ検索規則にしたがって、車載用コンテンツ再生装置に再生させるコンテンツを検索するコンテンツ検索手段１３を備える。【選択図】  図１
2007071767.tif 000002
【特許請求の範囲】
【請求項１】
車載用コンテンツ再生装置に再生させるコンテンツを検索する車載用コンテンツ検索装置において、
入力装置を介して設定されたルート検索の目的地に関連付けられた検索規則にしたがって、前記車載用コンテンツ再生装置に再生させるコンテンツを検索するコンテンツ検索手段を備えることを特徴とする車載用コンテンツ検索装置。
【請求項２】
前記コンテンツ検索手段は、前記ルート検索の複数の目的地が設定されると、各目的地に関連付けられた検索規則にしたがってコンテンツを検索することを特徴とする請求項１に記載の車載用コンテンツ検索装置。
【請求項３】
前記コンテンツ検索手段は、各目的地に関連付けられた検索規則にしたがって検索したコンテンツから、再生時間の合計が各目的地までの所要時間以上になるコンテンツを選出することを特徴とする請求項２に記載の車載用コンテンツ検索装置。
【請求項４】
前記コンテンツ検索手段は、前記ルート検索の目的地が追加されると、追加された目的地以降に設定されている目的地に関連付けられた検索規則にしたがって検索済みのコンテンツからコンテンツを再び選出することを特徴とする請求項３に記載の車載用コンテンツ検索装置。
【請求項５】
前記コンテンツ検索手段は、前記ルート検索の目的地が設定されると、設定された目的地に対して検索したコンテンツを前記車載用コンテンツ再生装置に再生させることを特徴とする請求項１乃至請求項５の何れかに記載の車載用コンテンツ検索装置。
【発明の詳細な説明】
【技術分野】
【０００１】
本発明は、車載用コンテンツ再生装置に再生させるコンテンツを検索する車載用コンテンツ検索装置に関するものである。
【背景技術】
【０００２】
従来の車載用コンテンツ検索装置としては、コンテンツと、このコンテンツに関する数値化された少なくとも１種類の属性情報（曲調、曲のテンポ、曲の明るさ、歌手の歌唱力等）を対応づけて記憶装置に記憶し、入力装置を介して属性情報の数値の範囲などの検索規則を設定し、この検索規則にしたがってコンテンツを記憶装置から検索するものがある（例えば、特許文献１参照）。
【特許文献１】特開平１０−０１１４６３号公報
【発明の開示】
【発明が解決しようとする課題】
【０００３】
しかしながら、従来の車載用コンテンツ検索装置においては、ルート検索の目的地に応じたコンテンツを検索させたい場合には、ルート検索の目的地を設定する度に検索規則の設定を要するといった問題があった。
【０００４】
本発明は、従来の問題を解決するためになされたもので、ルート検索の目的地を設定する度に検索規則の設定を要せずに、ルート検索の目的地に応じたコンテンツを検索することができる車載用コンテンツ検索装置を提供することを目的とする。
【課題を解決するための手段】
【０００５】
本発明の車載用コンテンツ検索装置は、車載用コンテンツ再生装置に再生させるコンテンツを検索する車載用コンテンツ検索装置において、入力装置を介して設定されたルート検索の目的地に関連付けられた検索規則にしたがって、前記車載用コンテンツ再生装置に再生させるコンテンツを検索するコンテンツ検索手段を備えた構成を有している。
【０００６】
この構成により、本発明の車載用コンテンツ検索装置は、ルート検索の目的地が設定されると、この目的地に関連付けられたコンテンツ検索規則にしたがってコンテンツを検索するため、ルート検索の目的地を設定する度に検索規則の設定を要せずに、ルート検索の目的地に応じたコンテンツを検索することができる。
【０００７】
また、前記コンテンツ検索手段は、前記ルート検索の複数の目的地が設定されると、各目的地に関連付けられた検索規則にしたがってコンテンツを検索するようにしてもよい。
【０００８】
この構成により、本発明の車載用コンテンツ検索装置は、ルート検索の複数の目的地が設定された場合にも、目的地毎に検索規則の設定を要せずにルート検索の各目的地に応じたコンテンツを検索することができる。
【０００９】
また、前記コンテンツ検索手段は、各目的地に関連付けられた検索規則にしたがって検索したコンテンツから、再生時間の合計が各目的地までの所要時間以上になるコンテンツを選出するようにしてもよい。
【００１０】
この構成により、本発明の車載用コンテンツ検索装置は、最後の目的地に到着するまで再生させ続けるコンテンツを選出することができる。
【００１１】
また、前記コンテンツ検索手段は、前記ルート検索の目的地が追加されると、追加された目的地以降に設定されている目的地に関連付けられた検索規則にしたがって検索済みのコンテンツからコンテンツを再び選出するようにしてもよい。
【００１２】
この構成により、本発明の車載用コンテンツ検索装置は、ルート検索の目的地が追加された場合にも、追加された目的地以降の各目的地間の所要時間に応じて、最後の目的地に到着するまで再生させ続けるコンテンツを選出することができる。
【００１３】
また、前記コンテンツ検索手段は、前記ルート検索の目的地が設定されると、設定された目的地に対して検索したコンテンツを前記車載用コンテンツ再生装置に再生させるようにしてもよい。
【００１４】
この構成により、本発明の車載用コンテンツ検索装置は、利用者がルート検索の目的地を設定するだけで、目的地に応じたコンテンツを再生させることができる。
【発明の効果】
【００１５】
本発明は、ルート検索の目的地を設定する度に検索規則の設定を要せずに、ルート検索の目的地に応じたコンテンツを検索することができるという効果を有する車載用コンテンツ検索装置を提供するものである。
【発明を実施するための最良の形態】
【００１６】
以下、本発明の実施の形態について、図面を参照して説明する。
【００１７】
（第１の実施の形態）
本発明の第１の実施の形態の車載用コンテンツ検索装置を図１に示す。
【００１８】
図１において、車載用コンテンツ検索装置１は、装置全体を制御するメインコントローラ２と、運転者や搭乗者によってルート検索の目的地の設定などの各種の指示が入力される入力装置３と、自車位置の検出を行うＧＰＳ（Global Positioning System）受信機４と、自車方位の検出を行う自律航法センサ５と、ルート検索等に必要な地図データが記録された地図データベース６と、音声を出力する音声出力装置７と、画像を表示する表示装置８とを備えている。
【００１９】
また、車載用コンテンツ検索装置１は、目的地までのルート検索を行うルート検索手段９と、登録された地点をメモリ地点データとして格納するメモリ地点格納手段１０と、映像や音楽等のコンテンツが収録された記憶媒体からコンテンツを読み出すコンテンツ読出手段１１と、コンテンツ読出手段１１によって読み出されたコンテンツを格納するコンテンツ格納手段１２と、コンテンツ格納手段１２に格納されたコンテンツからコンテンツを検索するコンテンツ検索手段１３と、コンテンツ検索手段１３によって検索されたコンテンツを再生するコンテンツ再生手段１４とを備えている。
【００２０】
ここで、ルート検索手段９、コンテンツ読出手段１１、コンテンツ検索手段１３およびコンテンツ再生手段１４は、例えば、プログラムを実行するＣＰＵ（Central Processing Unit）によって構成される。
【００２１】
ルート検索手段９は、入力装置３を介して設定された目的地と、ＧＰＳ受信機４によって検出された自車位置と、自律航法センサ５によって検出された自車方位と、地図データベース６とに基づいて、目的地までのルート検索を行うようになっている。
【００２２】
メモリ地点格納手段１０は、例えば、ハードディスク装置やフラッシュメモリ等の不揮発性の記憶媒体によって構成され、図２に示すように、メモリ地点データを格納している。メモリ地点データは、メモリ地点ＩＤ、位置情報、名称、住所および電話番号などの地点を表す情報と、コンテンツ情報とで構成されている。コンテンツ情報は、ソース種別を表す情報、再生種別を表す情報、および、コンテンツ検索規則を表す情報とによって構成されている。
【００２３】
ここで、ソース種別は、ラジオ、ＣＤ（Compact Disc）、ＤＶＤ（Digital Versatile Disc）およびハードディスク等といったメディアソースの種別を表し、再生種別は、コンテンツを検索せずにソース種別で指定されたソースを再生する通常再生であるか否かを表している。
【００２４】
また、コンテンツ検索規則は、任意の数の検索種別と検索キーとの組み合わせで構成される。ここで、検索種別は、「タイトル」、「アーティスト」、「年代」または「曲調」などといったコンテンツの属性の種別を表している。検索キーは、例えば検索種別「タイトル」に対して「『海』含む」、または、検索種別「年代」に対して「１９８０年代」などといったように検索種別に対するキーワードまたは値などを表している。
【００２５】
コンテンツ格納手段１２は、例えば、大容量ハードディスク装置等の記憶媒体によって構成され、コンテンツ読出手段１１によって読み出されたコンテンツを、音声や映像のデータ部、タイトル、アーティストおよびコンテンツの印象を表す情報等を含むデータとして格納するようになっている。
【００２６】
コンテンツ検索手段１３は、コンテンツ格納手段１２に格納されたコンテンツをメモリ地点格納手段１０に格納されたコンテンツ検索規則にしたがって検索し、検索したコンテンツのリストを表す再生リストを生成するようになっている。
【００２７】
コンテンツ再生手段１４は、コンテンツ情報の再生種別が通常再生の場合には、ラジオ、ＣＤ、ＤＶＤおよびハードディスク等のメディアソースを切り替えて再生し、コンテンツ情報の再生種別が通常再生でない場合には、コンテンツ検索手段１３によって検索されたコンテンツを再生するようになっている。
【００２８】
以上のように構成された車載用コンテンツ検索装置１について、図３を用いてその動作を説明する。
【００２９】
まず、入力装置３を介して目的地が設定されると（Ｓ３１）、ルート検索手段９によってルート検索が行われる（Ｓ３２）。
【００３０】
次に、設定された目的地のメモリ地点データがメモリ地点格納手段１０に格納されているか否かがコンテンツ検索手段１３によって判断される（Ｓ３３）。
【００３１】
ステップＳ３３において、目的地のメモリ地点データが格納されていると判断された場合は、このメモリ地点データにコンテンツ情報が含まれているか否かがコンテンツ検索手段１３によって判断される（Ｓ３４）。
【００３２】
一方、ステップＳ３３において、目的地のメモリ地点データが格納されていないと判断された場合は、車載用コンテンツ検索装置１の動作が終了する。
【００３３】
また、ステップＳ３４において、目的地のメモリ地点データにコンテンツ情報が含まれていると判断された場合は、このコンテンツ情報の再生種別が通常再生であるか否かがコンテンツ検索手段１３によって判断される（Ｓ３５）。
【００３４】
一方、ステップＳ３４において、目的地のメモリ地点データにコンテンツ情報が含まれていないと判断された場合は、車載用コンテンツ検索装置１の動作が終了する。
【００３５】
また、ステップＳ３５において、メモリ地点データに含まれるコンテンツ情報の再生種別が通常再生でないと判断された場合は、このコンテンツ情報に含まれるコンテンツ検索規則がコンテンツ検索手段１３によって取得される（Ｓ３６）。
【００３６】
次に、コンテンツ格納手段１２に格納されているコンテンツから、このコンテンツ検索規則にしたがったコンテンツがコンテンツ検索手段１３によって検索され、検索されたコンテンツのリストを表す再生リストがコンテンツ検索手段１３によって生成される（Ｓ３７）。
【００３７】
生成された再生リストにしたがってコンテンツがコンテンツ再生手段１４によって再生され（Ｓ３８）、車載用コンテンツ検索装置１の動作が終了する。
【００３８】
一方、ステップＳ３５において、メモリ地点データに含まれるコンテンツ情報の再生種別が通常再生であると判断された場合は、このコンテンツ情報に含まれるソース種別がコンテンツ検索手段１３によって取得される（Ｓ３９）。
【００３９】
次に、コンテンツ再生手段１４によって再生されるソースがこのソース種別に応じて切り替えられる（Ｓ４０）。
【００４０】
次に、切り替えられたソースに含まれるコンテンツがコンテンツ再生手段１４によって順次再生され（Ｓ４１）、車載用コンテンツ検索装置１の動作が終了する。
【００４１】
このような本発明の第１の実施の形態の車載用コンテンツ検索装置１は、ルート検索の目的地に関連付けられたコンテンツ検索規則にしたがってコンテンツを検索するので、利用者がルート検索の目的地を設定するだけで、検索規則の設定を要せずに、目的地に応じたコンテンツを再生させることができる。
【００４２】
（第２の実施の形態）
本発明の第１の実施の形態の車載用コンテンツ検索装置１において、入力装置３を介してルート検索の複数の目的地を設定できるようにしてもよい。
【００４３】
このように構成された車載用コンテンツ検索装置１を本発明の第２の実施の形態として、以下、図４を用いてその動作を説明する。
【００４４】
まず、入力装置３を介して目的地が設定されると（Ｓ５３）、仮再生リストが生成される（Ｓ５４）。この仮再生リストは、車載用コンテンツ検索装置１が図３におけるステップＳ３２〜Ｓ３７と同様に動作して生成される。
【００４５】
次に、目的地までの所要時間がルート検索手段９によって算出される（Ｓ５５）。
【００４６】
次に、コンテンツ検索手段１３によって、仮再生リストの１番目から再生リストに順次追加され（Ｓ５６）、追加される度に再生リストの表すコンテンツの再生時間の合計が目的地までの所要時間以上であるか否かが判断される（Ｓ５７）。ここで、コンテンツの再生時間の合計が目的地までの所要時間以上でないと判断された場合は次のコンテンツが追加され（Ｓ５６）、目的地までの所要時間以上であると判断された場合は再生リストの生成が完了する。
【００４７】
例えば、図５に示すように、目的地までの所要時間がＴ時間で、仮再生リストの表すコンテンツ＃１〜＃ｎの各再生時間がｔ１〜ｔｎ時間である場合、再生リストはコンテンツ検索手段１３によって次のように生成される。まずコンテンツ＃１が再生リストに追加される。この時点での再生リストの表すコンテンツの再生時間の合計ｔ１は所要時間Ｔ以上ではないため、次のコンテンツ＃２が再生リストに追加される。同様にしてコンテンツ＃７まで再生リストに順次追加される。この時点で、再生リストの表すコンテンツの再生時間の合計ｔ１〜ｔ７までの合計が所要時間Ｔ以上になるため、再生リストの生成が完了する。
【００４８】
ここで、複数の目的地が設定されている場合には、車載用コンテンツ検索装置１は目的地毎にステップＳ５４〜Ｓ５７と同様に動作して、目的地に応じた再生リストが生成される。
【００４９】
このように生成された再生リストに表されるコンテンツが、設定されている目的地順にコンテンツ再生手段１４によって再生され、車載用コンテンツ検索装置１の動作は終了する。
【００５０】
なお、道路状況の変更などの理由でルートが変更された場合には、ルート検索手段９によって再度目的地までの所要時間が算出される。算出された所要時間がルート変更前の所要時間から変更されている場合には、車載用コンテンツ検索装置１がステップＳ５６〜Ｓ５７と同様に動作し、再生リストが更新される。
【００５１】
このような本発明の第２の実施の形態の車載用コンテンツ検索装置１によれば、各目的地に応じて検索したコンテンツから再生時間の合計が各目的地までの所要時間以上になるコンテンツを選出するので、利用者がルート検索の複数の目的地を設定するだけで、検索規則の設定を要せずに、最後の目的地に到着するまで各目的地に応じたコンテンツを再生させ続けることができる。
【００５２】
（第３の実施の形態）
本発明の第２の実施の形態の車載用コンテンツ検索装置１において、入力装置３を介してルート検索の目的地を追加できるようにしてもよい。
【００５３】
このように構成された車載用コンテンツ検索装置１を本発明の第３の実施の形態として、以下、図６を用いてその動作を説明する。
【００５４】
図６において、目的地１と目的地３は設定済みであり、目的地１に対応する再生リスト６４と目的地３に対応する再生リスト６６とは既に生成されているものとして、以下説明する。
【００５５】
まず、目的地１と目的地３の間に、入力装置３を介して目的地２が追加されると、ルート検索手段９によって、目的地１から目的地２までのルート検索、および、目的地２から目的地３までのルート検索が行われ、目的地１から目的地２までの所要時間Ｔ２、および、目的地２から目的地３までの所要時間Ｔ３が算出される。
【００５６】
次に、コンテンツ検索手段１３によって、目的地２に関連付けられたコンテンツ検索規則にしたがってコンテンツが検索され、各目的地に対応する各再生リストが再構成される。
【００５７】
例えば、目的地１に対応する再生リスト６４は、目的地２の挿入位置が目的地１より後ろであり所要時間Ｔ１に変更がないため、更新される必要はない。
【００５８】
目的地２に対応する再生リスト６５は、新たに生成される必要がある。ここで、目的地１に対応する再生リスト６４の再生時間は目的地１までの所要時間Ｔ１よりｔ１だけ超過しているため、再生時間の合計がＴ２−ｔ１時間に以上になるコンテンツが、目的地２に応じて検索されたコンテンツからコンテンツ検索手段１３によって選出されて、目的地２に対応する再生リスト６５が生成される。
【００５９】
目的地３に対応する再生リスト６６は、目的地２の挿入位置が目的地３より前であり所要時間Ｔ３に変更があるため、更新される必要がある。ここで、目的地２に対応する再生リスト６５の再生時間は、Ｔ２−ｔ１時間よりｔ２だけ超過しているため、再生時間の合計がＴ３−ｔ２時間以上になるコンテンツが、目的地３に応じて検索されたコンテンツからコンテンツ検索手段１３によって再度選出されて、目的地３に対応する再生リスト６６が更新される。
【００６０】
このような本発明の第３の実施の形態の車載用コンテンツ検索装置１によれば、ルート検索の目的地が追加された場合に、追加された目的地以降に設定されている目的地に応じたコンテンツからコンテンツを選出しなおすので、利用者がルート検索の目的地を追加するだけで、検索規則の設定を要せずに、最後の目的地に到着するまで各目的地に応じたコンテンツを再生させ続けることができる。
【産業上の利用可能性】
【００６１】
以上のように、本発明の車載用コンテンツ検索装置は、ルート検索の目的地を設定する度に検索規則の設定を要せずに、ルート検索の目的地に応じたコンテンツを検索することができるという効果を有し、車載用コンテンツ再生装置に再生させるコンテンツを検索する車載用コンテンツ検索装置として有用である。
【図面の簡単な説明】
【００６２】
【図１】本発明の第１の実施の形態における車載用コンテンツ検索装置のブロック図
【図２】本発明の第１の実施の形態における車載用コンテンツ検索装置を構成する検索規則のデータ構造図
【図３】本発明の第１の実施の形態における車載用コンテンツ検索装置の動作説明のためのフロー図
【図４】本発明の第２の実施の形態における車載用コンテンツ検索装置の動作説明のためのフロー図
【図５】本発明の第２の実施の形態における車載用コンテンツ検索装置によって生成される再生リストのデータ構造図
【図６】本発明の第３の実施の形態における車載用コンテンツ検索装置によって生成される再生リストのデータ構造図
【符号の説明】
【００６３】
１  車載用コンテンツ検索装置
２  メインコントローラ
３  入力装置
４  ＧＰＳ受信機
５  自律航法センサ
６  地図データベース
７  音声出力装置
８  表示装置
９  ルート検索手段
１０  メモリ地点格納手段
１１  コンテンツ読出手段
１２  コンテンツ格納手段
１３  コンテンツ検索手段
１４  コンテンツ再生手段
【図１】
2007071767.tif 000003
【図２】
2007071767.tif 000004
【図３】
2007071767.tif 000005
【図４】
2007071767.tif 000006
【図５】
2007071767.tif 000007
【図６】
2007071767.tif 000008